(57)【要約】【課題】容易にリモートでファクス・電話の設定変更、動作を可能にする。【解決手段】メール機能を有するメール機能付きファクシミリ装置に、受信メールのサブジェクト又は本文に、ファクシミリ装置を制御し受信メールに使用される言語で書かれた制御コマンドが含まれているか否かを判断するコマンド有無判断部１０２Ａと、コマンド有無判断部により受信メールのサブジェクト又は本文に制御コマンドが含まれていると判断された場合にコマンド有無判断部から渡された受信メールのサブジェクト又は本文を解析し制御コマンドの内容を決定するコマンド解析部１０４と、コマンド解析部により決定された制御コマンドの内容に基づいて、ファクシミリ装置のファクス・電話の制御を行うファクス・電話制御部１０５とを備える。【選択図】　図１
2004134829.tif 000002
【特許請求の範囲】
【請求項１】
メール機能を有するメール機能付きファクシミリ装置において、
受信メールのサブジェクト又は本文に、前記ファクシミリ装置を制御し前記受信メールに使用される言語で書かれた制御コマンドが含まれているか否かを判断するコマンド有無判断部と、
前記コマンド有無判断部により前記受信メールのサブジェクト又は本文に制御コマンドが含まれていると判断された場合に前記コマンド有無判断部から渡された前記受信メールのサブジェクト又は本文を解析し前記制御コマンドの内容を決定するコマンド解析部と、
前記コマンド解析部により決定された前記制御コマンドの内容に基づいて、前記ファクシミリ装置のファクス・電話の制御を行うファクス・電話制御部とを備えることを特徴とするメール機能付きファクシミリ装置。
【請求項２】
前記制御コマンドには前記ファクシミリ装置の設定変更要求、動作要求のコマンドが前記言語で含まれることを特徴とする、請求項１に記載のメール機能付きファクシミリ装置。
【請求項３】
前記設定変更要求の制御コマンドとして留守設定をオン／オフにする「変更：留守設定：オン／オフ」、着信ベル回数をｎ回（ｎ：整数）に設定する「変更：着信ベル回数：ｎ」、発信元をオンにする「変更：発信元：オン／オフ」、ナンバーディスプレイ設定をオン／オフにする「変更：ナンバーディスプレイ：オン／オフ」を日本語で含み、前記動作要求のコマンドとして予め登録されたメールアドレスに新着メールを転送する「動作：新着メール転送」、指定された番号のメールを印刷する「動作：メール印刷：番号５」、予め登録された電話番号に留守番電話の全用件を転送する「動作：要件転送：全用件」、予め登録されたメールアドレスに留守番電話用件数、新着メール数、新規受信ファックス数などをメールする「動作：状態通知」を日本語で含むことを特徴とする請求項２に記載のメール機能付きファクシミリ装置。
【請求項４】
前記コマンド有無判断部は、受信メールのサブジェクト又は本文に「変更」又は「動作」を日本語で含む場合には、前記受信メールのサブジェクト又は本文に制御用コマンドが含まれると判断することを特徴とする、請求項１に記載のメール機能付きファクシミリ装置。
【請求項５】
さらに、認証部を設け、前記コマンド有無判断部が前記受信メールのサブジェクト又は本文に制御用コマンドが含まれていると判断した場合には、前記コマンド有無判断部から前記認証部に前記受信メールのメールアドレスを渡し、認証要求を行い、前記認証部は認証結果を前記コマンド有無判断部に渡し、前記コマンド有無判断部は前記認証部から正常認証応答が無い場合に前記受信メールのサブジェクト又は本文を前記コマンド解析部に渡さないようにすることを特徴とする、請求項１に記載のメール機能付きファクシミリ装置。
【請求項６】
前記認証部は、携帯電話、外出先のパーソナルコンピュータを含む装置のメールアドレスを前記ファクシミリ装置の操作部より入力して保持し、保持した前記メールアドレスと前記受信メールのメールアドレスとを比較して認証を行うことを特徴とする、請求項１に記載のメール機能付きファクシミリ装置。
【請求項７】
メール機能を有するメール機能付きファクシミリ装置のリモート設定変更、動作方法において、
受信メールのサブジェクト又は本文に、前記ファクシミリ装置を制御し前記受信メールに使用される言語で書かれた制御コマンドが含まれているか否かを判断する工程と、
前記受信メールのサブジェクト又は本文に制御コマンドが含まれていると判断された場合に前記受信メールのサブジェクト又は本文を解析し前記制御コマンドの内容を決定する工程と、
決定された前記制御コマンドの内容に基づいて、前記ファクシミリ装置のファクス・電話の制御を行う工程とを備えることを特徴とするメール機能付きファクシミリ装置のリモート設定変更、動作方法。
【発明の詳細な説明】
【０００１】
【発明が属する技術分野】
本発明はメール機能付きファクシミリ装置に関する。特に、本発明は、メール機能付きファクシミリ装置の設定変更、動作をリモートで行わさせる方法に関する。
【０００２】
【従来の技術】
従来のファクシミリ通信システムではインターネットを含んだ公衆網に接続されたファクシミリ装置（ＦＡＸ装置）内に電子メール（Ｅ−メール）アドレスが予め登録されており、ＦＡＸ装置が留守番設定されている場合には、ＦＡＸ装置への受信ＦＡＸ画像データがパーソナルコンピュータ（ＰＣ）へＥ−メールとして転送されるようになっている（例えば、特許文献１参照。）。
【０００３】また、留守宅にかかってきた電話を電子メールで転送することにより留守番電話の状態を確認することなく、伝言の有無又は内容を知ることも可能になっている（例えば、特許文献２参照）。
【０００４】
【特許文献１】
特開２００１−２３６２７２号公報（段落００１７、００１８、図１）
【特許文献２】
特開平９−２４７２９３号公報（段落００２５、図１）
【０００５】
上記のファクシミリ通信システムのファクス・電話の設定をリモートで変更したり、ファクシミリ通信システムへの動作要求をする場合には、ファクシミリ通信システムに電話してプッシュ信号でパスワード認証を行い、その後、各種操作コードをプッシュ信号で通知して設定変更要求、動作要求を行っている。
【０００６】
【発明が解決しようとする課題】
しかしながら、上記ファクシミリ通信システムにはパスワード認証用の暗証番号を覚えている必要があり、さらに、覚えにくい各種操作コードの数字、記号を使用して設定変更、動作要求を必要とするという問題がある。
したがって、本発明は上記問題点に鑑みて、容易にリモートで設定変更要求、動作要求を行えるメール機能付きファクシミリ装置及びそのリモート設定変更、動作要求方法を提供することを目的とする。
【０００７】
【課題を解決するための手段】
本発明は前記問題点を解決するために、メール機能を有するメール機能付きファクシミリ装置において、受信メールのサブジェクト又は本文に、前記ファクシミリ装置を制御し前記受信メールに使用される言語で書かれた制御コマンドが含まれているか否かを判断するコマンド有無判断部と、前記コマンド有無判断部により前記受信メールのサブジェクト又は本文に制御コマンドが含まれていると判断された場合に前記コマンド有無判断部から渡された前記受信メールのサブジェクト又は本文を解析し前記制御コマンドの内容を決定するコマンド解析部と、前記コマンド解析部により決定された前記制御コマンドの内容に基づいて、前記ファクシミリ装置のファクス・電話の制御を行うファクス・電話制御部とを備えることを特徴とするメール機能付きファクシミリ装置を提供する。
【０００８】
この手段により、制御コマンドが数字、記号ではなく、メールで使用される言語で書かれるので、覚えやすく、リモート操作が容易になる。
さらに、前記制御コマンドには前記ファクシミリ装置の設定変更要求、動作要求のコマンドが前記言語で含まれる。
この手段により、メールの言語で書かれた制御コマンドでファクシミリ装置の設定変更、動作のリモート操作が可能になる。
【０００９】
さらに、前記設定変更要求の制御コマンドとして留守設定をオン／オフにする「変更：留守設定：オン／オフ」、着信ベル回数をｎ回（ｎ：整数）に設定する「変更：着信ベル回数：ｎ」、発信元をオンにする「変更：発信元：オン／オフ」、ナンバーディスプレイ設定をオン／オフにする「変更：ナンバーディスプレイ：オン／オフ」を日本語で含み、前記動作要求のコマンドとして予め登録されたメールアドレスに新着メールを転送する「動作：新着メール転送」、指定された番号のメールを印刷する「動作：メール印刷：番号５」、予め登録された電話番号に留守番電話の全用件を転送する「動作：要件転送：全用件」、予め登録されたメールアドレスに留守番電話用件数、新着メール数、新規受信ファックス数などをメールする「動作：状態通知」を日本語で含む。
【００１０】
この手段により、ファクシミリ装置について、種々の設定変更、種々の動作のリモート操作が日本語で書かれた制御コマンドで可能になる。
さらに、前記コマンド有無判断部は、受信メールのサブジェクト又は本文に「変更」又は「動作」を日本語で含む場合には、前記受信メールのサブジェクト又は本文に制御用コマンドが含まれると判断する。
【００１１】
この手段により、「変更」、「動作」を含む場合には、ファクシミリ装置の設定変更、動作のリモート操作が行われ、「変更」、「動作」を含まない場合には通常の受信メールとして受信メールが処理される。
さらに、認証部を設け、前記コマンド有無判断部が前記受信メールのサブジェクト又は本文に制御用コマンドが含まれていると判断した場合には、前記コマンド有無判断部から前記認証部に前記受信メールのメールアドレスを渡し、認証要求を行い、前記認証部は認証結果を前記コマンド有無判断部に渡し、前記コマンド有無判断部は前記認証部から正常認証応答が無い場合に前記受信メールのサブジェクト又は本文を前記コマンド解析部に渡さないようにする。
【００１２】
この手段により、メール機能付きファクシミリ装置の設定変更、動作の要求が悪用されるのを防止することが可能になる。
さらに、前記認証部は、携帯電話、外出先のパーソナルコンピュータを含む装置のメールアドレスを前記ファクシミリ装置の操作部より入力して保持し、保持した前記メールアドレスと前記受信メールのメールアドレスとを比較して認証を行う。
【００１３】
この手段により、設定変更要求、動作要求の正当適格者の確認を可能にする。さらに、本発明は、メール機能を有するメール機能付きファクシミリ装置のリモート設定変更、動作方法において、受信メールのサブジェクト又は本文に、前記ファクシミリ装置を制御し前記受信メールに使用される言語で書かれた制御コマンドが含まれているか否かを判断する工程と、前記受信メールのサブジェクト又は本文に制御コマンドが含まれていると判断された場合に前記受信メールのサブジェクト又は本文を解析し前記制御コマンドの内容を決定する工程と、決定された前記制御コマンドの内容に基づいて、前記ファクシミリ装置のファクス・電話の制御を行う工程とを備えることを特徴とするメール機能付きファクシミリ装置のリモート設定変更、動作方法を提供する。
【００１４】
この手段により、上記発明と同様に、制御コマンドが数字、記号ではなく、メールで使用される言語で書かれるので、覚えやすく、リモート操作が容易になる。
【００１５】
【発明の実施の形態】
以下、本発明の実施の形態について図面を参照して説明する。
図１は本発明に係るメール機能付きファクシミリ装置の設定変更、動作要求を処理する概略構成を示すブロック図である。
自宅又は事務所等に設置され、携帯電話、外出先のパーソナルコンピュータ（ＰＣ）からメールが送られるメール機能付きファクシミリ装置には、本図に示すように、ネットワーク管理部１０１が設けられ、ネットワーク管理部１０１はインターネットとの接続を管理する。
【００１６】
ネットワーク管理部１０１にはメール管理部１０２が接続され、メール管理部１０２とネットワーク管理部１０１との間でメール受信プロトコルが使用され、メール管理部１０２は、インターネットからネットワーク管理部１０１を介して、メールを受信する。
メール管理部１０２にはコマンド有無判断部１０２Ａが設けられ、コマンド有無判断部１０２Ａは、受信メールのサブジェクト又は本文に制御用コマンド（又は各種操作コード）が含まれているか否かをチェックする。
【００１７】
メール管理部１０２には認証部１０３が接続され、コマンド有無判断部１０２Ａのチェックで受信メールのサブジェクト又は本文に制御用コマンドが含まれている場合には、メール管理部１０２は認証部１０３にメールアドレスを渡し、認証要求を通知する。
なお、認証部１０３にはメールアドレス保持部１０３Ａが設けられ、メールアドレス保持部１０３Ａは、ユーザの携帯電話、外出先のパーソナルコンピュータのメールアドレスが保持される。
【００１８】
メールアドレス保持部１０３Ａには操作部１０６が接続され、操作部１０６はユーザの使用によりメールアドレス保持部１０３Ａにユーザの携帯電話、外出先のパーソナルコンピュータの認証用メールアドレスを予め登録するのに使用される。
認証部１０３は、メールアドレスの認証を行い、予め登録されているメールアドレスと一致した場合は正常認証応答をメール管理部１０２に通知する。
【００１９】
メール管理部１０２にはコマンド解析部１０４が接続され、メール管理部１０２に正常認証応答を通知されている場合にはメール管理部１０２からコマンド解析部１０４に受信メールのサブジェクト又は本文が渡され、コマンド解析要求が通知される。
コマンド解析部１０４は受信メールのサブジェクト又は本文に含まれている、例えば、受信メールに使用される日本語の言語（メール機能付きファクシミリ装置が使用される地域の言語）で書かれた制御コマンドの解析を行う。
【００２０】
なお、コマンド解析部１０４にはコマンド保持部１０４Ａが設けられ、コマンド保持部１０４Ａはファクス・電話の設定変更要求、動作要求に対する各種制御コマンドを保持する。
コマンド解析部１０４の制御コマンドの解析では、受信メールのサブジェクト又は本文に含まれる制御コマンドとコマンド保持部１０４Ａに保持される制御コマンドとを比較して、どの制御コマンドによる設定変更要求、動作要求かを決定する。
【００２１】
以下にコマンド解析部１０４のコマンド保持部１０４Ａに保持される制御コマンドの例を説明する。
2004134829.tif 000003
【００２２】
上記の内容がサブジェクト又は本文に書かれたメールを携帯電話、外出先のパーソナルコンピュータから受信することにより、ファクス・電話の設定変更要求、動作要求が実行される。
コマンド解析部１０４にはファクス・電話制御部１０５が接続され、コマンド解析部１０４で日本語で書かれた制御用コマンドを解析した結果、有効なコマンドの場合は、コマンド解析部１０４からファクス・電話制御部１０５にファクス・電話の設定変更要求又は動作要求が通知され、ファクス・電話制御部１０５はファクス・電話の設定変更要求、動作要求を実行する。
【００２３】
このように、制御コマンドが数字、記号ではなくメールで使用される日本語で書かれるので、覚えやすく、リモート操作が容易になる。
図２は図１の構成動作例を示すシーケンス図である。
本図に示すように、ネットワーク管理部１０１からメール管理部１０２に受信メールが渡されると、メール管理部１０２のコマンド有無判断部１０２Ａでは受信メールのサブジェクト又は本文に制御用コマンドとして設定変更要求の場合には「変更」又は動作要求の場合には「動作」が含まれているか否かをチェックする。
【００２４】
制御コマンドが含まれている場合には、メール機能付きファクシミリ装置に対して、携帯電話、外出先のパーソナルコンピュータからファクス・電話の設定変更、動作が要求されていると判断する。制御コマンドが含まれていない場合には、通常の受信メールとして処理される。
制御コマンドが含まれている場合にはメール管理部１０２から認証部１０３にメールアドレスが渡され、メールアドレス保持部１０３Ａに保持されているメールアドレスと比較する認証要求が行われる。設定変更要求、動作要求の正当適格者であることを確認するためである。
【００２５】
認証部１０３からメール管理部１０２への正常認証応答により、メール管理部１０２では正当適格者の確認が行われる。受信メールに制御コマンドがあっても、正常認証応答が無い場合には以下の動作が行われない。メール機能付きファクシミリ装置の設定変更、動作の要求が悪用されるのを防止するためである。
正常認証応答があると、メール管理部１０２からコマンド解析部１０４に受信メールのサブジェクト又は本文が渡され、コマンド解析要求が行われる。
【００２６】
コマンド解析部１０４では、コマンド保持部１０４Ａを用いて、例えば、設定変更要求例として「変更：留守設定：オン／オフ」、動作要求通知例として「動作：新着メール転送」のように日本語で書かれた制御コマンドが解析される。
コマンド解析部１０４で日本語で書かれた制御用コマンドを解析した結果、有効なコマンドの場合は、コマンド解析部１０４からファクス・電話制御部１０５にファクス・電話の設定変更要求又は動作要求が通知され、ファクス・電話制御部１０５は上記例の「変更：留守設定：オン／オフ」の制御コマンドに対して「留守設定をオン／オフにする。」というファクス・電話の設定変更要求を実行し、「動作：新着メール転送」の制御コマンドに対して「予め登録されたメールアドレスに新着メールを転送する。」というファクス・電話の動作要求を実行する。
【００２７】
【発明の効果】
以上説明したように、本発明によれば、受信メールのサブジェクト又は本文に、ファクシミリ装置を制御し受信メールに使用される言語で書かれた制御コマンドが含まれているか否かを判断し、受信メールのサブジェクト又は本文に制御コマンドが含まれていると判断された場合に受信メールのサブジェクト又は本文を解析し制御コマンドの内容を決定し、決定された前記制御コマンドの内容に基づいて、前記ファクシミリ装置のファクス・電話の制御を行うようにしたので、制御コマンドが数字、記号ではなく、メールで使用される言語で書かれるので、覚えやすく、リモート操作が容易になる。
【図面の簡単な説明】
【図１】図１は本発明に係るメール機能付きファクシミリ装置の設定変更、動作要求を処理する概略構成を示すブロック図である。
【図２】図２は図１の構成動作例を示すシーケンス図である。
【符号の説明】
１０１…ネットワーク管理部
１０２…メール管理部
１０２Ａ…コマンド有無判断部
１０３…認証部
１０３Ａ…メールアドレス保持部
１０４…解析部
１０４Ａ…コマンド保持部
１０５…ファクス・電話制御部
１０６…操作部
【図１】
2004134829.tif 000004
【図２】
2004134829.tif 000005